(57)【特許請求の範囲】
【請求項１】
方法であって、
複数の周波数帯域の許容可能な組み合わせを備える複数のタイミングアドバンスグループ（ＴＡＧ）に関連付けられた複数のルールのセットをユーザ機器（ＵＥ）から受信することと、ここにおいて、前記複数のルールのセットは、帯域内キャリアアグリゲーションのためのサポートされたＴＡＧの数を特定する第１のルール、帯域間キャリアアグリゲーションのためのサポートされたＴＡＧの数を特定する第２のルール、および複数のＴＡＧの許容可能な組み合わせを特定する第３のルールを備える、
複数のアグリゲートされたコンポーネントキャリアの周波数を決定することと、
前記複数の周波数帯域の許容可能な組み合わせおよび前記複数のアグリゲートされたコンポーネントキャリアの前記決定された周波数に基づいて、前記複数のアグリゲートされたコンポーネントキャリアを少なくとも１つのＴＡＧに割り当てることと
を備える、方法。
【請求項２】
前記割り当てることは、（ｉ）所定の周波数帯域における周波数を有する複数のアグリゲートされたコンポーネントキャリアを帯域内キャリアアグリゲーションのための少なくとも１つのＴＡＧに割り当てることと、（ｉｉ）異なる所定の周波数帯域における周波数を有する複数のアグリゲートされたコンポーネントキャリアを帯域間キャリアアグリゲーションのための少なくとも１つのＴＡＧに割り当てることと、（ｉｉｉ）複数の周波数帯域の許容可能な組み合わせを有する複数のアグリゲートされたコンポーネントキャリアを同じＴＡＧに割り当てることと、または（ｉｖ）複数の周波数帯域の許容不可能な組み合わせを有する複数のアグリゲートされたコンポーネントキャリアを同じＴＡＧに割り当てることを抑制することとのうちの少なくとも１つを備える、請求項１に記載の方法。
【請求項３】
前記少なくとも１つのＴＡＧは、最少で１つのＴＡＧ、多くて４つのＴＡＧを備える、請求項１に記載の方法。
【請求項４】
ワイヤレスエンティティに少なくとも１つのＴＡＧ割り当てを送信することをさらに備える、請求項１に記載の方法。
【請求項５】
前記割り当てることは、既存のＴＡＧまたは新規のＴＡＧのうちの１つに割り当てることを備える、請求項１に記載の方法。
【請求項６】
ワイヤレスネットワークエンティティであって、
複数の周波数帯域の許容可能な組み合わせを備える複数のタイミングアドバンスグループ（ＴＡＧ）に関連付けられた複数のルールのセットをユーザ機器（ＵＥ）から受信するための手段と、ここにおいて、前記複数のルールのセットは、帯域内キャリアアグリゲーションのためのサポートされたＴＡＧの数を特定する第１のルール、帯域間キャリアアグリゲーションのためのサポートされたＴＡＧの数を特定する第２のルール、および複数のＴＡＧの許容可能な組み合わせを特定する第３のルールを備える、
複数のアグリゲートされたコンポーネントキャリアの周波数を決定するための手段と、
前記複数の周波数帯域の許容可能な組み合わせおよび前記複数のアグリゲートされたコンポーネントキャリアの前記決定された周波数に基づいて、前記複数のアグリゲートされたコンポーネントキャリアを少なくとも１つのＴＡＧに割り当てるための手段と
を備える、ワイヤレスネットワークエンティティ。
【請求項７】
前記割り当てるための手段は、（ｉ）所定の周波数帯域における周波数を有する複数のアグリゲートされたコンポーネントキャリアを帯域内キャリアアグリゲーションのための少なくとも１つのＴＡＧに割り当てることと、（ｉｉ）異なる所定の周波数帯域における周波数を有する複数のアグリゲートされたコンポーネントキャリアを帯域間キャリアアグリゲーションのための少なくとも１つのＴＡＧに割り当てることと、（ｉｉｉ）複数の周波数帯域の許容可能な組み合わせを有する複数のアグリゲートされたコンポーネントキャリアを同じＴＡＧに割り当てることと、または（ｉｖ）複数の周波数帯域の許容不可能な組み合わせを有する複数のアグリゲートされたコンポーネントキャリアを同じＴＡＧに割り当てることを抑制することとのうちの少なくとも１つのためにさらに構成される、請求項６に記載のワイヤレスネットワークエンティティ。
【請求項８】
ワイヤレスエンティティに少なくとも１つのＴＡＧ割り当てを送信するための手段をさらに備える、請求項６に記載のワイヤレスネットワークエンティティ。
【請求項９】
方法であって、
複数のタイミングアドバンスグループ（ＴＡＧ）に関連付けられた複数のルールのセットを決定することと、ここにおいて、前記複数のルールのセットは、帯域内キャリアアグリゲーションのためのサポートされたＴＡＧの数を特定する第１のルール、帯域間キャリアアグリゲーションのためのサポートされたＴＡＧの数を特定する第２のルール、および複数のＴＡＧの許容可能な組み合わせを特定する第３のルールを備える、
前記複数のＴＡＧに関連付けられた複数のルールのセットを基地局に送信することと、
少なくとも１つのＴＡＧへの複数のアグリゲートされたコンポーネントキャリアの割り当てのインジケーションを受信することと、ここにおいて前記少なくとも１つのＴＡＧへの前記割り当ては、前記複数のルールのセットに対応する、
を備える、方法。
【請求項１０】
ユーザ機器であって、
複数のタイミングアドバンスグループ（ＴＡＧ）に関連付けられた複数のルールのセットを決定するための手段と、ここにおいて、前記複数のルールのセットは、帯域内キャリアアグリゲーションのためのサポートされたＴＡＧの数を特定する第１のルール、帯域間キャリアアグリゲーションのためのサポートされたＴＡＧの数を特定する第２のルール、および複数のＴＡＧの許容可能な組み合わせを特定する第３のルールを備える、
前記複数のＴＡＧに関連付けられた複数のルールのセットを基地局に送信するための手段と、
少なくとも１つのＴＡＧへの複数のアグリゲートされたコンポーネントキャリアの割り当てのインジケーションを受信するための手段と、ここにおいて前記少なくとも１つのＴＡＧへの前記割り当ては、前記複数のルールのセットに対応する、
を備える、ユーザ機器。
【請求項１１】
実行された時、少なくとも１つのコンピュータに、請求項１から請求項５または請求項９のうちの１つに従う方法を実行させる実行可能な命令を備える、コンピュータプログラム。
【発明の詳細な説明】
【関連出願の相互参照】
【０００１】
[0001]  本特許出願は、２０１２年８月１６日に出願され、「ＵＬキャリアアグリゲーション（ＣＡ）のための複数のタイミングアドバンスグループ（MULTIPLE TIMING ADVANCE GROUPS (TAGS) FOR UL CARRIER AGGREGATION (CA)）」と題するもので、本譲渡人に譲渡され、全体が引用によって本開示に明確に組み込まれる仮出願第６１／６８４，１２５号への優先権を主張する。
【技術分野】
【０００２】
[0002]  本開示の態様は、ワイヤレス通信システムおよびＵＬキャリアアグリゲーションのためのタイミングアドバンスグルーピング（timing advance grouping）に関する。
【背景技術】
【０００３】
[0003]  ワイヤレス通信ネットワークは、音声、ビデオ、パケットデータ、メッセージング、ブロードキャスト、等のような、様々な通信サービスを提供するために広く展開されている。これらのワイヤレスネットワークは、利用可能なネットワークリソースを共有することによって複数のユーザをサポートできる多元接続ネットワークであり得る。そのような多元接続ネットワークの例は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、およびシングルキャリアＦＤＭＡ（ＳＣ−ＦＤＭＡ）ネットワークを含む。本明細書で使用される場合、「キャリア」は、定義された周波数を中心とし（centered on）、ワイヤレス通信に使用される無線帯域を指す。
【０００４】
[0004]  ワイヤレス通信ネットワークは、多くのユーザ機器（ＵＥ）のための通信をサポートできる多くの基地局を含み得る。ＵＥは、ダウンリンクおよびアップリンクを介して基地局と通信し得る。ダウンリンク（すなわち順方向リンク）は、基地局からＵＥへの通信リンクを指し、アップリンク（すなわち逆方向リンク）は、ＵＥから基地局への通信リンクを指す。
【０００５】
[0005]  第３世代パートナーシッププロジェクト（３ＧＰＰ）ロングタームエボリューション（ＬＴＥ）は、モバイル通信のためのグローバルシステム（ＧＳＭ（登録商標））およびユニバーサルモバイルテレコミュニケーションシステム（ＵＭＴＳ）の発展としてセルラ技術の大きな進歩を表す。ＬＴＥ物理層（ＰＨＹ）は、ＵＥのようなモバイルエンティティと、発展型ノードＢ（ｅＮＢ）のような基地局との間でデータおよび制御情報の両方を伝達するための高効率な手法を提供する。
【０００６】
[0006]  ｅＮＢとの初期接続を確立するために、ＵＥは、ダウンリンク（すなわち順方向リンク）信号を測定してダウンリンクの同期を決定し得る。その後、ＵＥは、アップリンク（すなわち逆方向リンク）方向におけるランダムアクセスチャネル（ＲＡＣＨ）プリアンブルを送信し得る。一度ｅＮＢがＲＡＣＨプリアンブルを受信すると、ｅＮＢはタイミング差を推定し、ランダムアクセス応答（ＲＡＲ）メッセージにおけるＵＥのタイミングアドバンス（ＴＡ）情報を送信し得る。タイミングアドバンスは、ｅＮＢおよびＵＥ間の伝搬遅延（propagation delay）を補償し（compensate）得る。タイミングアドバンスは、ＵＥの移動性のために、時間に基づいて変化し得る。ＴＡ維持相（maintenance phase）において、ｅＮＢは、ＴＡコマンドを使用して、受信ＵＬデータのタイミングおよび正当な(just)ＵＬタイミングを測定し得る。
【０００７】
[0007]  複数のＬＴＥ ＵＥは、各方向における伝送のためのキャリアアグリゲーション（最大５個のコンポーネントキャリア）に割り当てられた帯域幅を使用し得る。一般に、ダウンリンクよりも少ないトラフィックがアップリンクで送信されることから、アップリンクスペクトル割り当ては、ダウンリンク割り当てよりも小さくなり得る。複数のコンポーネントキャリアが同じタイミングアドバンス値を共有し、同じタイミングアドバンスグループ（ＴＡＧ：timing advance group）に属し得る。別のコンポーネントキャリアのセットは、異なるＴＡＧを有し得る。
【発明の概要】
【０００８】
[0008]  アグリゲートされた（aggregated）コンポーネントキャリアをタイミングアドバンスグループに割り当てるための方法および装置が詳細な説明で詳しく説明され、ある特定の態様の概要が以下に示される。この概要および以下の詳細な説明は、一体化された開示（integrated disclosure）の相補的な部分として解釈されるべきであり、これら部分は、冗長的な主題（redundant subject matter）および／または補足的な主題（supplemental subject matter）を含み得る。どちらかのセクションにおける省略は、一体化された応用例において説明される任意の要素の優先度や相対的な重要性を示さない。セクション間の差は、該当する開示から明らかとなるべく、代替的な実施形態の補足的な開示、更なる詳細、または異なる用語を使用した同一の実施形態の代替的な記載を含み得る。
【０００９】
[0009]  一態様では、方法が、複数の周波数帯域の許容可能な組み合わせを含む複数のタイミングアドバンスグループ（ＴＡＧ）に関連付けられた複数ののルールのセットをユーザ機器（ＵＥ）から受信することを含む。この方法は、複数のアグリゲートされたコンポーネントキャリアの周波数を決定することを含む。方法は、複数の周波数帯域の許容可能な組み合わせおよび複数のアグリゲートされたコンポーネントキャリアの決定された周波数に基づいて、複数のアグリゲートされたコンポーネントキャリアを少なくとも１つのタイミングアドバンスグループに割り当てることを含む。
【００１０】
[0010]  別の態様では、ワイヤレスネットワークエンティティが、複数の周波数帯域の許容可能な組み合わせを含む複数のタイミングアドバンスグループ（ＴＡＧ）に関連付けられた複数のルールのセットをユーザ機器（ＵＥ）から受信するための手段を含む。ワイヤレスネットワークエンティティは、複数のアグリゲートされたコンポーネントキャリアの周波数を決定するための手段を含む。ワイヤレスネットワークエンティティは、複数の周波数帯域の許容可能な組み合わせおよび複数のアグリゲートされたコンポーネントキャリアの決定された周波数に基づいて、複数のアグリゲートされたコンポーネントキャリアを少なくとも１つのタイミングアドバンスグループに割り当てるための手段を含む。
【００１１】
[0011]  別の態様では、ワイヤレスネットワークエンティティが、複数の周波数帯域の許容可能な組み合わせを含む複数のタイミングアドバンスグループ（ＴＡＧ）に関連付けられた複数のルールのセットをユーザ機器（ＵＥ）から受信し、複数のアグリゲートされたコンポーネントキャリアの周波数を決定し、複数の周波数帯域の許容可能な組み合わせおよび複数のアグリゲートされたコンポーネントキャリアの決定された周波数に基づいて、複数のアグリゲートされたコンポーネントキャリアを複数のアグリゲートされたコンポーネントキャリアの少なくとも１つのタイミングアドバンスグループに割り当てるように構成された少なくとも１つのプロセッサを含む。ワイヤレスネットワークエンティティは、データを格納するための少なくとも１つのプロセッサに結合されるメモリを含む。
【００１２】
[0012]  別の態様では、コンピュータプログラム製品が、少なくとも１つのコンピュータに、複数の周波数帯域の許容可能な組み合わせを含む複数のタイミングアドバンスグループ（ＴＡＧ）に関連付けられた複数のルールのセットをユーザ機器（ＵＥ）から受信させるためのコードを含むコンピュータ可読媒体を含む。コンピュータ可読媒体は、少なくとも１つのコンピュータに、複数のアグリゲートされたコンポーネントキャリアの周波数を決定させるためのコードを含む。コンピュータ可読媒体は、少なくとも１つのコンピュータに、周波数帯域の許容可能な組み合わせおよび複数のアグリゲートされたコンポーネントキャリアの決定された周波数に基づいて、複数のアグリゲートされたコンポーネントキャリアを複数のアグリゲートされたコンポーネントキャリアの少なくとも１つのタイミングアドバンスグループに割り当てさせるためのコードを含む。
【００１３】
[0013]  別の態様では、方法が、複数のタイミングアドバンスグループに関連付けられた複数のルールのセットを決定することを含む。方法は、複数のタイミングアドバンスグループに関連付けられた複数のルールのセットを基地局に送信することを含む。方法は、少なくとも１つのタイミングアドバンスグループ（ＴＡＧ）への複数のアグリゲートされたコンポーネントキャリアの割り当てのインジケーションを受信することを含み、ここで、少なくとも１つのタイミングアドバンスグループへの割り当ては、複数のルールのセットに対応する。
【００１４】
[0014]  別の態様では、ユーザ機器が、複数のタイミングアドバンスグループに関連付けられた複数のルールのセットを決定するための手段を含む。ユーザ機器は、複数のタイミングアドバンスグループに関連付けられた複数のルールのセットを基地局に送信するための手段を含む。ユーザ機器は、少なくとも１つのタイミングアドバンスグループ（ＴＡＧ）への複数のアグリゲートされたコンポーネントキャリアの割り当てのインジケーションを受信するための手段を含み、ここで、少なくとも１つのタイミングアドバンスグループへの割り当ては、複数のルールのセットに対応する。
【００１５】
[0015]  別の態様では、ユーザ機器は、複数のタイミングアドバンスグループに関連付けられた複数のルールのセットを決定し、複数のタイミングアドバンスグループに関連付けられた複数のルールのセットを基地局に送信し、少なくとも１つのタイミングアドバンスグループ（ＴＡＧ）への複数のアグリゲートされたコンポーネントキャリアの割り当てのインジケーションを受信するように構成された少なくとも１つのプロセッサを含み、ここで、少なくとも１つのタイミングアドバンスグループへの割り当ては、複数のルールのセットに対応する。Ｗｉ−Ｆｉ装置は、データを格納するための少なくとも１つのプロセッサに結合されるメモリを含む。
【００１６】
[0016]  別の態様では、コンピュータプログラム製品が、少なくとも１つのコンピュータに、複数のタイミングアドバンスグループに関連付けられた複数のルールのセットを決定させるためのコードを含むコンピュータ可読媒体を含む。コンピュータ可読媒体は、少なくとも１つのコンピュータに、複数のタイミングアドバンスグループに関連付けられた複数のルールのセットを基地局に送信させるためのコードを含む。コンピュータ可読媒体は、少なくとも１つのコンピュータに、少なくとも１つのタイミングアドバンスグループ（ＴＡＧ）への複数のアグリゲートされたコンポーネントキャリアの割り当てのインジケーションを受信させるためのコードを含み、ここで、少なくとも１つのタイミングアドバンスグループへの割り当ては、複数のルールのセットに対応する。
【００１７】
[0017]  他の態様も、例示として様々な態様が説明および示される以下の詳細な説明から、当業者にとって容易に明らかになるであろうことが理解される。図面および詳細な説明は、本質的に例示的であり、限定的であると見なされるべきではない。
【図面の簡単な説明】
【００１８】
【図１】テレコミュニケーションシステムの例を概念的に示すブロック図である。
【図２】テレコミュニケーションシステムにおけるダウンリンクフレーム構造の例を概念的に示すブロック図である。
【図３】本開示の一態様に従って構成された基地局／ｅＮＢおよびＵＥの設計を概念的に示すブロック図を概念的に示すブロック図である。
【図４Ａ】連続的なキャリアアグリゲーションタイプを開示する。
【図４Ｂ】非連続的なキャリアアグリゲーションタイプを開示する。
【図５】ＭＡＣ層データアグリゲーションを開示する。
【図６Ａ】様々な実施形態に従って複数のタイミングアドバンスグループ（ＴＡＧ）への複数のアグリゲートされたコンポーネントキャリアの割り当てを示す。
【図６Ｂ】様々な実施形態に従って複数のタイミングアドバンスグループ（ＴＡＧ）への複数のアグリゲートされたコンポーネントキャリアの割り当てを示す。
【図６Ｃ】様々な実施形態に従って複数のタイミングアドバンスグループ（ＴＡＧ）への複数のアグリゲートされたコンポーネントキャリアの割り当てを示す。
【図６Ｄ】様々な実施形態に従って複数のタイミングアドバンスグループ（ＴＡＧ）への複数のアグリゲートされたコンポーネントキャリアの割り当てを示す。
【図６Ｅ】図６Ａ−Ｆは、様々な実施形態に従ってタイミングアドバンスグループ（ＴＡＧ）へのアグリゲートされたコンポーネントキャリアの割り当てを示す。
【図６Ｆ】様々な実施形態に従ってタイミングアドバンスグループ（ＴＡＧ）へのアグリゲートされたコンポーネントキャリアの割り当てを示す。
【図７】ＴＡＧ能力（capabilities）をシグナリングすることをサポートするＵＥを含むシステムのコール図の例を示す。
【図８】複数のアグリゲートされたコンポーネントキャリアを複数のＴＡＧに割り当てるための基地局によって行われる方法の態様を示す。
【図９】複数のアグリゲートされたコンポーネントキャリアをグルーピングするためのルールを複数のＴＡＧにシグナリングするためのＵＥによって行われる方法の態様を示す。
【図１０】図８の方法に従って、複数のアグリゲートされたコンポーネントキャリアを複数のＴＡＧに割り当てるための装置の実施形態を示す。
【図１１】図９の方法に従って、複数のアグリゲートされたコンポーネントキャリアを複数のＴＡＧに割り当てるための装置の実施形態を示す。
【発明を実施するための形態】
【００１９】
詳細な説明
[0030]  添付図面に関連して以下に述べられる詳細な説明は、様々な構成の説明として意図されたものであり、本明細書で説明される概念が実施され得る唯一の構成を表すことを意図したものではない。詳細な説明は、様々な概念の完全な理解を提供する目的で、具体的な詳細を含む。しかしながら、これらの概念が、これらの具体的な詳細なしに実施され得ることは、当業者にとって明らかであろう。いくつかの例では、そのような概念をあいまいにすることを避けるために、周知の構造およびコンポーネントがブロック図の形態で示される。
【００２０】
[0031]  本明細書で説明される技術は、ＣＤＭＡ、ＴＤＭＡ、ＦＤＭＡ、ＯＦＤＭＡ、ＳＣ−ＦＤＭＡ、のような様々なワイヤレス通信ネットワークおよび他のネットワークに使用され得る。「ネットワーク」および「システム」という用語は、しばしば同義で使用される。ＣＤＭＡネットワークは、ユニバーサル地上無線アクセス（ＵＴＲＡ）、ｃｄｍａ２０００、等のような無線技術を実現し得る。ＵＴＲＡは、広帯域ＣＤＭＡ（ＷＣＤＭＡ（登録商標））およびＣＤＭＡの他の変形を含む。ｃｄｍａ２０００は、ＩＳ−２０００、ＩＳ−９５、およびＩＳ−８５６規格をカバーする。ＴＤＭＡネットワークは、モバイル通信のためのグローバルシステム（ＧＳＭ（登録商標））のような無線技術を実現し得る。ＯＦＤＭＡネットワークは、発展型ＵＴＲＡ（Ｅ−ＵＴＲＡ）、ウルトラモバイルブロードバンド（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、フラッシュＯＦＤＭ、等のような無線技術を実現し得る。ＵＴＲＡおよびＥ−ＵＴＲＡは、ユニバーサルモバイルテレコミュニケーションシステム（ＵＭＴＳ）の一部である。３ＧＰＰロングタームエボリューション（ＬＴＥ）およびＬＴＥアドバンスド（ＬＴＥ−Ａ）は、Ｅ−ＵＴＲＡを使用するＵＭＴＳの最新リリースである。ＵＴＲＡ、Ｅ−ＵＴＲＡ、ＵＭＴＳ、ＬＴＥ、ＬＴＥ−ＡおよびＧＳＭは、「第３世代パートナーシッププロジェクト」（３ＧＰＰ）と称される団体からの文書に記載されている。ＣＤＭＡ２０００およびＵＭＢは、「第３世代パートナーシッププロジェクト２」（３ＧＰＰ２）と称される団体からの文書に記載されている。本明細書で説明される技術は、上述したワイヤレスネットワークおよび無線技術に加えて、他のワイヤレスネットワークおよび無線技術に使用され得る。明確化のために、技術のある特定の態様が、ＬＴＥについて以下に説明され、以下の説明の大部分でＬＴＥ用語が使用される。
【００２１】
[0032]  図１は、ワイヤレス通信ネットワーク１００を示し、これはＬＴＥネットワークであり得る。ワイヤレスネットワーク１００は、多数のｅＮＢ １１０および他のネットワークエンティティを含み得る。ｅＮＢは、ＵＥと通信する局であり、また、基地局、ノードＢ、アクセスポイント、あるいは他の用語で呼ばれ得る。各ｅＮＢ １１０ａ、１１０ｂ、１１０ｃは、特定の地理的エリアのための通信カバレッジを提供し得る。３ＧＰＰで、「セル」という用語は、この用語が使用される文脈に応じて、ｅＮＢのカバレッジエリア、および／または、このカバレッジエリアにサービス提供するｅＮＢサブシステムを指すことができる。
【００２２】
[0033]  ｅＮＢは、マクロセル、ピコセル、フェムトセル、および／または、他のタイプのセルのための通信カバレッジを提供し得る。マクロセルは、比較的広い地理的エリア（例えば、半径数キロメートル）をカバーし、サービスに加入しているＵＥによる無制限アクセスを可能にし得る。ピコセルは、比較的狭い地理的エリアをカバーし、サービスに加入しているＵＥによる無制限アクセスを可能にし得る。フェムトセルは、比較的より狭い地理的エリア（例えば、住居）をカバーし、フェムトセルとの関連を有するＵＥ（例えば、限定加入者グループ（ＣＳＧ）のＵＥ、住居内のユーザのためのＵＥ、等）による制限されたアクセスを可能にし得る。マクロセルのためのｅＮＢは、マクロｅＮＢと呼ばれ得る。ピコセルのためのｅＮＢは、ピコｅＮＢと呼ばれ得る。フェムトセルのためのｅＮＢは、フェムトｅＮＢまたはホームｅＮＢ（ＨＮＢ）と呼ばれ得る。図１に示される例で、ｅＮＢ １１０ａ、１１０ｂ、および１１０ｃはそれぞれ、マクロセル１０２ａ、１０２ｂ、および１０２ｃのためのマクロｅＮＢであり得る。ｅＮＢ １１０ｘは、ピコセル１０２ｘのためのピコｅＮＢであり得る。ｅＮＢ １１０ｗ、１１０ｙおよび１１０ｚはそれぞれ、フェムトセル１０２ｗ、１０２ｙおよび１０２ｚのためのフェムトｅＮＢであり得る。ｅＮＢは、１つまたは複数の（例えば、３つの）セルをサポートし得る。
【００２３】
[0034]  ワイヤレスネットワーク１００はまた、中継局１１０ｒを含み得る。中継局は、アップストリーム局（例えば、ｅＮＢまたはＵＥ）から、データの伝送および／または他の情報を受信し、ダウンストリーム局（例えば、ＵＥまたはｅＮＢ)に、データの伝送および／または他の情報を送る局である。中継局はまた、他のＵＥのための伝送を中継するＵＥであり得る。図１で示される例において、中継局１１０ｒは、ｅＮＢ １１０ａとＵＥ１２０ｒとの間の通信を容易にするために、ｅＮＢ １１０ａおよびＵＥ１２０ｒと通信し得る。中継局は、中継ｅＮＢ、リレー（relay）、等とも呼ばれ得る。
【００２４】
[0035]  ワイヤレスネットワーク１００は、異なるタイプのｅＮＢ、例えば、マクロｅＮＢ、ピコｅＮＢ、フェムトｅＮＢ、リレー、等を含む異種ネットワークであり得る。これらの異なるタイプのｅＮＢは、ワイヤレスネットワーク１００において、異なる送信電力レベル、異なるカバレッジエリア、および干渉に対する異なる影響を有し得る。例えば、マクロｅＮＢが高い送信電力レベル（例えば、２０ワット）を有し得るのに対し、ピコｅＮＢ、フェムトｅＮＢ、およびリレーは、より低い送信電力レベル（例えば、１ワット）を有し得る。
【００２５】
[0036]  ワイヤレスネットワーク１００は、同期または非同期動作をサポートし得る。同期動作の場合、複数のｅＮＢが同様のフレームタイミングを有し、異なるｅＮＢからの伝送がほぼ時間的に揃えられ得る。非同期動作の場合、複数のｅＮＢが異なるフレームタイミングを有し、異なるｅＮＢからの伝送が時間的に揃えられ得ない。本明細書で説明される技術は、同期動作と非同期動作の両方に使用され得る。
【００２６】
[0037]  ネットワークコントローラ１３０は、複数のｅＮＢのセットに結合し、これらｅＮＢ １１０に調整および制御を提供し得る。ネットワークコントローラ１３０は、バックホールを介してこれらｅＮＢ １１０と通信し得る。これらｅＮＢ １１０はまた、例えば、ワイヤレスバックホールまたはワイヤラインバックホールを介して直接または間接的に、互いに通信し得る。
【００２７】
[0038]  複数のＵＥ１２０は、ワイヤレスネットワーク１００全体にわたって分布され、各ＵＥは、固定またはモバイルであり得る。ＵＥは、端末、モバイル局、加入者ユニット、局、等とも呼ばれ得る。ＵＥは、セルラ電話、携帯情報端末（ＰＤＡ）、ワイヤレスモデム、ワイヤレス通信デバイス、ハンドヘルドデバイス、ラップトップコンピュータ、コードレス電話、ワイヤレスローカルループ（ＷＬＬ）局、または他のモバイルエンティティであり得る。ＵＥは、複数のマクロｅＮＢ、複数のピコｅＮＢ、複数のフェムトｅＮＢ、複数のリレー、または複数の他のネットワークエンティティと通信可能であり得る。図１において、両側矢印の実線は、ＵＥと、ダウンリンクおよび／またはアップリンクでＵＥにサービス提供するように指定されたｅＮＢであるサービス提供するｅＮＢとの間の所望の伝送を示す。両側矢印の点線は、ＵＥとｅＮＢとの間の干渉伝送を示す。ＵＥとサービス提供するｅＮＢとの間の１本の実線は、ＵＥとサービス提供するｅＮＢとの間の通信リンクを示し得る。複数の実線は、キャリアアグリゲーション（ＣＡ）のために構成されたＵＥを示し得る。キャリアアグリゲーションは、コロケート構成(collocated configuration)における１つの基地局に使用可能であり得る。キャリアアグリゲーションは、非コロケート構成(non-collocated configuration)における２つ以上の基地局に使用可能であり得る。
【００２８】
[0039]  複数のＬＴＥ−アドバンスドＵＥは、最大２０ＭＨｚ帯域幅の中で、各方向における伝送に使用される最大で合計１００ＭＨｚ（５個のコンポーネントキャリア）のキャリアアグリゲーションに割り当てられるスペクトルを使用し得る。ＵＥ１２０ａと基地局１１０ａとの間の３本の実線は、３個のコンポーネントキャリアのためのサポートを示しており、これはプライマリコンポーネントキャリア（ＰＣＣ）およびセカンダリコンポーネントキャリア（ＳＣＣ）を含み得る。ＰＣＣおよび１つ以上のセカンダリコンポーネントキャリアを含む最大５個のコンポーネントキャリアは、ＵＥ１２０ａと基地局１１０ａとの間でサポートされ得る。ＵＥ１２０ａと基地局１１０ａとの間の通信リンクは、コロケートキャリアアグリゲーションを示し得る。非コロケートキャリアアグリゲーションで、ＵＥ１２０ｂは、別の位置で２つ以上の基地局１１０ｃ、１１０ｗのコンポーネントキャリアを割り当てられ得る。ＵＥ１２０は、基地局１１０ｃからの２個のコンポーネントキャリアおよび基地局１１０ｗからの２個のコンポーネントキャリアで示される。ＰＣＣは、制御シグナリングを搬送し得る。ＰＣＣを含む全てのコンポーネントキャリアは、トラフィックデータを搬送し得る。キャリアアグリゲーションは、連続的および非連続的なＣＡのために構成され得る。キャリアアグリゲーションは、帯域内および帯域間タイプのＣＡのために構成され得る。例えば、ＵＥ１２０ａのための複数のコンポーネントキャリアは、連続的な帯域内キャリアアグリゲーションのために構成され得る。複数のコンポーネントキャリアは、タイミングアドバンスグループ（ＴＡＧ）に属し得、それは、基地局１１０ａとＵＥ１２０ａとの間の伝搬遅延を補償し得る。例えば、ＵＥ１２０ａと基地局１１０ａとの間の実線によって示される３個のコンポーネントキャリアは、同じＴＡＧに属し得る。別の例において、第１のコンポーネントキャリアは第２のコンポーネントキャリアとともに１つのＴＡＧに属し、第１のコンポーネントキャリアは第３のコンポーネントキャリアとともに別のＴＡＧに属し得る。１つのコンポーネントキャリアが複数のＴＡＧに属し得ることに留意されたい。
【００２９】
[0040]  複数のＴＡＧの利用可能性は、ＵＥとｅＮＢとの間の通信を改善する機会を提示する。複数の異なるコンポーネントキャリアのグルーピングは、改善された信号受信および効率を可能にし得る。例えば、多経路効果、キャリアサブフレーム境界のオーバーラップ、およびＲＦ環境における他の現象に起因し、これらコンポーネントキャリアの受信信号強度が著しく変化し得る。これは、準最適な受信処理（suboptimal receive processing）を引き起こし、最悪の場合、無線リンク故障（radio link failure）を引き起こし得る。従って、本開示は、複数のアグリゲートされたコンポーネントキャリアについての複数のＴＡＧを割り当てることに基づいて、効率的で信頼性のある通信のための技術を提供する。
【００３０】
[0041]  ＬＴＥは、ダウンリンクで直交周波数分割多重（ＯＦＤＭ）を、アップリンクでシングルキャリア周波数分割多重（ＳＣ−ＦＤＭ）を、利用する。ＯＦＤＭおよびＳＣ−ＦＤＭは、システム帯域幅を複数（Ｋ）個の直交サブキャリアに分割し、それは、一般的に、トーン、ビン、等とも呼ばれる。各サブキャリアは、データによって変調され得る。一般的に、変調シンボルは、ＯＦＤＭによる周波数領域において、およびＳＣ−ＦＤＭＡによる時間領域において送信される。隣接するサブキャリア間の間隔は、固定であり、サブキャリアの合計数（Ｋ）は、システム帯域幅に依存し得る。例えば、Ｋは、１．４、３、５、１０または２０メガヘルツ（ＭＨｚ）のシステム帯域幅に対して、それぞれ１２８、２５６、５１２、１０２４または２０４８に等しくなり得る。システム帯域幅はまた、サブバンドに分割され得る。例えば、サブバンドは、１．０８ＭＨｚをカバーし、１．４、３、５、１０または２０ＭＨｚのシステム帯域幅に対して、それぞれ１、２、４、８、または１６個のサブバンドが存在し得る。
【００３１】
[0042]  図２は、ＬＴＥにおいて使用されるダウンリンクフレーム構造を示す。ダウンリンクのための伝送タイムラインは、無線フレーム２００のユニットに分割され得る。各無線フレーム、例えば、フレーム２０２は、所定の持続時間（例えば、１０ミリ秒（ｍｓ））を有し、０〜９のインデックスを有する１０個のサブフレーム２０４に分割され得る。各サブフレーム、例えば、「サブフレーム０」２０６は、２個のスロット、例えば、「スロット０」２０８および「スロット１」２１０を含み得る。従って、各無線フレームは、０〜１９のインデックスを有する２０個のスロットを含み得る。各スロットは、Ｌ個のシンボル期間、例えば、図２に示されるような、ノーマルなサイクリックプレフィックス（ＣＰ）のための７個のシンボル期間２１２、または拡張されたサイクリックプレフィックスのための６個のシンボル期間を含み得る。ノーマルなＣＰおよび拡張されたＣＰは、本明細書では異なるＣＰタイプと呼ばれ得る。各サブフレームにおける２Ｌ個のシンボル期間は、０〜２Ｌ−１のインデックスを割り当てられ得る。利用可能な時間周波数リソースは、リソースブロックに分割され得る。各リソースブロックは、１つのスロットにおいて「Ｎ」個のサブキャリア（例えば、１２個のサブキャリア）をカバーし得る。
【００３２】
[0043]  ＬＴＥにおいて、ｅＮＢは、ｅＮＢにおける各セルについてのプライマリ同期信号（ＰＳＳ）およびセカンダリ同期信号（ＳＳＳ）を送信し得る。プライマリおよびセカンダリ同期信号は、それぞれ、図２に示されるように、ノーマルなサイクリックプレフィックスの場合、各無線フレームのサブフレーム０および５の各々におけるシンボル期間６および５において送信され得る。同期信号は、セルの検出および獲得のためにＵＥによって使用され得る。ｅＮＢは、サブフレーム０のスロット１におけるシンボル期間０〜３において、物理ブロードキャストチャネル（ＰＢＣＨ）を送信し得る。ＰＢＣＨは、ある特定のシステム情報を搬送し得る。
【００３３】
[0044]  図２では第１のシンボル期間２１４全体が描写されているが、ｅＮＢは、各サブフレームの第１のシンボル期間の一部のみで物理制御フォーマットインジケータチャネル（ＰＣＦＩＣＨ）を送信し得る。ＰＣＦＩＣＨは、制御チャネルに使用されるシンボル期間の数（Ｍ）を伝達し得、ここで、Ｍは、１、２、または３に等しく、サブフレーム毎に変化し得る。Ｍはまた、例えば、１０より少ないリソースブロックを有する小さなシステム帯域幅に関して、４に等しくなり得る。図２に示される例では、Ｍ＝３である。ｅＮＢは、各サブフレームの第１のＭ個のシンボル期間（図２ではＭ＝３）において、物理Ｈ−ＡＲＱインジケータチャネル（ＰＨＩＣＨ）および物理ダウンリンク制御チャネル（ＰＤＣＣＨ）を送信し得る。ＰＨＩＣＨは、ハイブリッド自動再送（Ｈ−ＡＲＱ）をサポートするための情報を搬送し得る。ＰＤＣＣＨは、ＵＥのためのリソース割り当てに関する情報と、ダウンリンクチャネルのための制御情報を搬送し得る。図２における第１のシンボル期間に示されないが、ＰＤＣＣＨおよびＰＨＩＣＨもまた、第１のシンボル期間に含まれると理解される。同様に、ＰＨＩＣＨおよびＰＤＣＣＨはまた、図２ではそのようには示されていないが、第２および第３のシンボル期間の両方に存在する。ｅＮＢは、各サブフレームの残りのシンボル期間において、物理ダウンリンク共有チャネル（ＰＤＳＣＨ）を送信し得る。ＰＤＳＣＨは、ダウンリンクでのデータ伝送のためにスケジュールされたＵＥのためのデータを搬送し得る。ＬＴＥにおける様々な信号およびチャネルは、「発展型ユニバーサル地上無線接続（Ｅ−ＵＴＲＡ）；物理チャネルおよび変調（Evolved Universal Terrestrial Radio Access (E-UTRA); Physical Channels and Modulation）」と題する、公的に利用可能な３ＧＰＰ ＴＳ ３６．２１１において説明されている。
【００３４】
[0045]  ｅＮＢは、ｅＮＢによって使用されるシステム帯域幅の中心である１．０８ＭＨｚにおいて、ＰＳＳ、ＳＳＳ、およびＰＢＣＨを送信し得る。ｅＮＢは、これらのチャネルが送信される各シンボル期間において、システム帯域幅全体にわたってＰＣＦＩＣＨおよびＰＨＩＣＨを送信し得る。ｅＮＢは、システム帯域幅のある特定の部分においてＵＥのグループにＰＤＣＣＨを送信し得る。ｅＮＢは、システム帯域幅の複数の特定の部分において特定のＵＥにＰＤＳＣＨを送信し得る。ｅＮＢは、全てのＵＥに対してブロードキャスト方式でＰＳＳ、ＳＳＳ、ＰＢＣＨ、ＰＣＦＩＣＨ、およびＰＨＩＣＨを送信し、特定のＵＥに対してユニキャスト方式でＰＤＣＣＨを送信し、また、複数の特定のＵＥに対してユニキャスト方式でＰＤＳＣＨを送信し得る。
【００３５】
[0046]  多数のリソースエレメントが各シンボル期間において利用可能であり得る。各リソースエレメントは、１つのシンボル期間において１つのサブキャリアをカバーし、１つの変調シンボルを送信するために使用され得、それは、実数または複素数であり得る。各シンボル期間における基準信号に使用されないリソースエレメントは、複数のリソースエレメントグループ（ＲＥＧ）内に配置され得る。各ＲＥＧは、１つのシンボル期間において４個のリソースエレメントを含み得る。ＰＣＦＩＣＨは、４個のＲＥＧを占有し、それは、シンボル期間０において周波数にわたってほぼ等しく間隔を開けられ得る。ＰＨＩＣＨは、３個のＲＥＧを占有し、それは、1つ以上の設定可能なシンボル期間において周波数にわたって拡散され得る。例えば、ＰＨＩＣＨのための３個のＲＥＧは全て、シンボル期間０に属し得る、またはシンボル期間０、１、および２において拡散され得る。ＰＤＣＣＨは、９、１８、３２、または６４個のＲＥＧを占有し、それらは、第１のＭ個のシンボル期間において、利用可能なＲＥＧから選択され得る。ＲＥＧのある特定の組合せのみが、ＰＤＣＣＨに対して許可され得る。
【００３６】
[0047]  ＵＥは、ＰＨＩＣＨおよびＰＣＦＩＣＨに使用される複数の特定のＲＥＧを知り得る。ＵＥは、ＰＤＣＣＨのために、複数のＲＥＧの異なる組み合わせを探索し得る。探索するための組合せの数は典型的に、ＰＤＣＣＨに対して許可される組合せの数より少ない。ｅＮＢは、ＵＥが探索するであろう任意の組合せにおいてＰＤＣＣＨをＵＥに送信し得る。
【００３７】
[0048]  ＵＥは、複数のｅＮＢのカバレッジ内にあり得る。これらｅＮＢのうちの１つは、ＵＥにサービス提供するために選択され得る。サービス提供するｅＮＢは、受信電力、経路損失、信号対雑音比（ＳＮＲ）、等のような様々な基準に基づいて選択され得る。
【００３８】
[0049]  図３は、基地局／ｅＮＢ １１０およびＵＥ１２０の設計のブロック図を示し、それらは、図１における複数の基地局／ｅＮＢのうちの１つおよびＵＥのうちの１つであり得る。基地局１１０はまた、何らかの他のタイプの基地局であり得る。基地局１１０はアンテナ３３４ａ〜３３４ｔを備え、ＵＥ１２０はアンテナ３５２ａ〜３５２ｒを備え得る。
【００３９】
[0050]  基地局１１０において、送信プロセッサ３２０は、データソース３１２からデータを受信し、コントローラ／プロセッサ３４０から制御情報を受信し得る。制御情報は、ＰＢＣＨ、ＰＣＦＩＣＨ、ＰＨＩＣＨ、ＰＤＣＣＨ、等のためのものであり得る。データは、ＰＤＳＣＨ、等のためのものであり得る。プロセッサ３２０は、データおよび制御情報を処理（例えば、符号化およびシンボルマッピング）して、複数のデータシンボルおよび複数の制御シンボルをそれぞれ取得し得る。プロセッサ３２０はまた、例えば、ＰＳＳ、ＳＳＳのための複数の参照シンボル、およびセル固有参照信号を生成し得る。送信（ＴＸ）多入力多出力（ＭＩＭＯ）プロセッサ３３０は、適用可能な場合、複数のデータシンボル、複数の制御シンボル、および／または複数の参照シンボルに空間処理（例えば、プリコーディング）を行い、出力シンボルストリームを複数の変調器（ＭＯＤ）３３２ａ〜３３２ｔに提供し得る。各変調器３３２は、該当する出力シンボルストリームを処理して、出力サンプルストリームを取得し得る。各変調器３３２はさらに、出力サンプルストリームを処理（例えば、アナログ変換、増幅、フィルタリング、およびアップコンバート）して、ダウンリンク信号を取得し得る。変調器３３２ａ〜３３２ｔからの複数のダウンリンク信号は、それぞれ、アンテナ３３４ａ〜３３４ｔを介して送信され得る。
【００４０】
[0051]  ＵＥ１２０において、アンテナ３５２ａ〜３５２ｒは、基地局１１０から複数のダウンリンク信号を受信し、複数の受信された信号を、それぞれ、複数の復調器（ＤＥＭＯＤ）３５４ａ〜３５４ｒに提供し得る。各復調器３５４は、該当する受信信号を調整（例えば、フィルタリング、増幅、ダウンコンバート、およびデジタル化）して、入力サンプルを取得し得る。各復調器３５４はさらに、入力サンプルを処理して（例えば、ＯＦＤＭ、等のために）、複数の受信シンボルを取得し得る。ＭＩＭＯ検出器３５６は、全ての復調器３５４ａ〜３５４ｒからの複数の受信シンボルを取得し、適用可能な場合、これら受信シンボルに対してＭＩＭＯ検出を行い、複数の検出されたシンボルを提供し得る。受信プロセッサ３５８は、これら検出されたシンボルを処理（例えば、復調、デインタリーブ、復号）し、データシンク３６０にＵＥ１２０のための復号されたデータを提供し、コントローラ／プロセッサ３８０に復号された制御情報を提供し得る。プロセッサ３８０は、メモリ３８２で保持された複数の命令を実行することによって、本明細書で説明される方法の動作を行うためのモジュールを含み得る。そのようなモジュールは、例えば、データ品質を測定し、リソース制約を検知し、ｅＮＢ １１０に送信するための制御チャネルにおける制御信号を提供するためのモジュールを含み得る。一態様において、ＵＥ１２０は、プロセッサの１つ以上のハードウェアコンポーネントの温度を検知するためのコントローラに結合された温度センサ３５７（例えば、サーミスタ）を含み得る。温度または他のリソース測定は、本明細書における他の部分でより詳細に説明されるように、キャリアアグリゲーションにおけるデータの伝送を制御するためのアルゴリズムへの入力として使用され得る。
【００４１】
[0052]  アップリンクにおいては、ＵＥ１２０で、送信プロセッサ３６４がデータソース３６２からのデータ（例えば、ＰＵＳＣＨのための）およびコントローラ／プロセッサ３８０からの制御情報（例えばＰＵＣＣＨのための）を受信して処理し得る。プロセッサ３６４はまた、参照信号のための複数の参照シンボルを生成し得る。送信プロセッサ３６４からの複数のシンボルは、適用可能な場合、ＴＸ ＭＩＭＯプロセッサ３６６によってプリコードされ、（例えば、ＳＣ−ＦＤＭ、等のために）変調器３５４ａ〜３５４ｒによってさらに処理され、基地局１１０に送信され得る。基地局１１０において、ＵＥ１２０からの複数のアップリンク信号が、複数のアンテナ３３４によって受信され、複数の復調器３３２によって処理され、適用可能な場合にはＭＩＭＯ検出器３３６によって検出され、受信プロセッサ３３８によってさらに処理されて、ＵＥ１２０によって送信された復号されたデータおよび制御情報を取得し得る。プロセッサ３３８は、復号されたデータをデータシンク３３９に提供し、復号された制御情報をコントローラ／プロセッサ３４０に提供し得る。
【００４２】
[0053]  コントローラ／プロセッサ３４０および３８０は、それぞれ、基地局１１０およびＵＥ１２０における動作を指示し得る。プロセッサ３４０および／または基地局１１０における他のプロセッサおよびモジュールは、図８に示される機能ブロックを含む、本明細書で説明される技術のための様々な処理の実行を行うか指示し得る。プロセッサ３８０および／またはＵＥ１２０における他のプロセッサおよびモジュールはまた、図９に示される機能ブロック、および／または本明細書で説明される技術のための他の処理の実行を行うか指示し得る。メモリ３４２および３８２は、それぞれ、基地局１１０およびＵＥ１２０のためのデータおよび複数のプログラムコードを格納し得る。スケジューラ３４４は、ダウンリンクおよび／またはアップリンクでのデータ伝送のために複数のＵＥをスケジューリングし得る。ＵＥは、図１１と関係して示され、説明されるように、１つ以上のさらなるコンポーネントを含み得る。
【００４３】
[0054]  ＬＴＥ−アドバンスドＵＥは、各方向における伝送に使用される最大で合計１００ＭＨｚ（５個のコンポーネントキャリア）のキャリアアグリゲーションに割り当てられる２０ＭＨｚ帯域幅の中でスペクトルを使用する。一般に、ダウンリンクよりも少ないトラフィックがアップリンクで送信されるので、アップリンクスペクトル割り当ては、ダウンリンク割り当てよりも小さくなり得る。例えば、アップリンクに２０ＭＨｚが割り当てられる場合、ダウンリンクは１００ＭＨｚを割り当てられ得る。これらの非対称ＦＤＤ割り当ては、スペクトルを節約し、複数のブロードバンド加入者による典型的な非対称帯域幅利用に適している。
【００４４】
[0055]  ＬＴＥ Ｒｅｌ−１０において、ＵＥは、（ＣＡ）のための最大５個のコンポーネントキャリア（ＣＣ）で構成され得る。各ＣＣは、最大２０ＭＨｚ使用し、下位互換性を維持し得る。最大１００ＭＨｚは、ＵＥのために構成され得る。ＣＡにおける複数のＣＣは全て、ＦＤＤまたはＴＤＤのいずれかであり得る。ＣＡにおいてＦＤＤおよびＴＤＤの混合はない。異なるＣＣのために特別なサブフレームが別々に構成され得るが、複数のＴＤＤ ＣＣは全て同じＤＬ：ＵＬ構成を有し得る。１つのＣＣは、プライマリＣＣ（ＰＣＣまたはＰＣｅｌｌ）として指定され得、それは、ＰＵＣＣＨおよび共通の探索空間を搬送する唯一のＣＣであり得る。他の（複数の）ＣＣは、（複数の）セカンダリＣＣ（ＳＣＣまたはＳＣｅｌｌ）として指定され得る。
【００４５】
[0056]  ＬＴＥ Ｒｅｌ−１１において、異なる構成のＴＤＤのアグリゲーションは、展開時により多くの柔軟性を持たせて（allowing more flexibility）、サポートされ得る。各ＣＣは、複数の非後方互換性のあるＣＣ（例えば、複数のキャリアセグメント、複数の拡張キャリア）を導入することが可能でもあるが、シングルキャリアモードではＲｅｌ−８／９／１０に対して下位互換性があり得る。将来のリリースでは、ＴＤＤおよびＦＤＤのアグリゲーションがサポートされ得る。
【００４６】
[0057]  ＬＴＥ−アドバンスドモバイルシステムについては、連続的なＣＡおよび非連続的なＣＡのような、２つのタイプのキャリアアグリゲーション（ＣＡ）方法が提案されている。これらは、図４Ａおよび図４Ｂに示される。非連続的なＣＡ４５０は、複数の利用可能なコンポーネントキャリアが周波数帯域に沿って分離されている構成を指す（図４Ｂ）。一方、連続的なＣＡ４００は、複数の利用可能なコンポーネントキャリアが互いに隣接した場合の構成を指す（図４Ａ）。非連続的なＣＡと連続的なＣＡの両方は、ＬＴＥアドバンスドＵＥの単一ユニットをサービス提供するために複数のＬＴＥ／コンポーネントキャリアをアグリゲートする。
【００４７】
[0058]  複数のＲＦ受信ユニットおよび複数のＦＦＴは、キャリアが周波数帯域に沿って分離されているので、ＬＴＥ−アドバンスドＵＥでは非連続的なＣＡにより展開され得る。非連続的なＣＡは、広い周波数範囲にわたって複数の分離されたキャリアでのデータ伝送をサポートするので、伝搬経路損失、ドップラーシフトおよび他の無線チャネル特性は、複数の異なる周波数帯域において大いに変わり得る。
【００４８】
[0059]  従って、非連続的なＣＡアプローチの下で広帯域データ伝送をサポートするため、方法が、複数の異なるコンポーネントキャリアための符号化、変調、および伝送電力を適応的に調節するために使用され得る。例えば、エンハンスドノードＢ（ｅＮＢ）が各コンポーネントキャリアで固定された送信電力を有するＬＴＥ−アドバンスドシステムでは、各コンポーネントキャリアの有効カバレッジやサポート可能な変調および符号化が異なり得る。
【００４９】
[0060]  図５は、国際モバイルテレコミュニケーション−アドバンスド（ＩＭＴアドバンスド）システムのための媒体アクセス制御（ＭＡＣ）層５００で複数の異なるコンポーネントキャリア５０２、５０４、５０６から複数の伝送ブロック（ＴＢ）をアグリゲートすることを示す。ＭＡＣ層のデータアグリゲーションでは、各コンポーネントキャリアが、ＭＡＣ層５００においてそれ自体の独立したハイブリッド自動再送要求（Ｈ−ＡＲＱ）エンティティと、物理層においてそれ自体の伝送構成パラメータ（例えば、送信電力、変調および符号化方式、および複数のアンテナ構成）を有する。同様に、物理層５０８では、１つのＨ−ＡＲＱエンティティがコンポーネントキャリア毎に提供される。データアグリゲーション処理５１０は、データが単一のサービスまたはアプリケーションに向けられている場合、アグリゲートされたデータストリームに複数の異なるコンポーネントキャリアからデータをアグリゲートするために受信機で行われ得る。
【００５０】
[0061]  ３ＧＰＰ Ｒｅｌ−１１では、最大４個の複数のＴＡＧが、例えばＵＥのために、定義され得る。複数のアグリゲートされたキャリアは、制限なく、任意の組み合わせにグルーピングされ得る。キャリア干渉、異なるキャリアの伝搬遅延、等のために、同じＴＡＧに対する１つの周波数帯域に複数のキャリアを含むことは有益であり得る。ＵＥから送信され帯域内ＣＡのための複数のＴＡＧをサポートするか否かを示すシグナリング（例えば、レポートまたはメッセージ）は、有益であり得る。このシグナリングはまた、ＵＥが帯域間ＣＡのための２つ以上のＴＡＧ、複数のＴＡＧの許容可能な組み合わせ、および／または複数の周波数帯域の許容可能な組み合わせをサポートするか否かを示し得る。
【００５１】
[0062]  実現の観点から、同じＴＡＧに属する１つの帯域におけるキャリアを全て有することが望ましいことがある。いくつかの実現が（帯域内の非コロケートＣＡに対処するために）帯域内アグリゲーションのための異なる高速フーリエ変換（ＦＦＴ）をサポートする場合において、ＵＥが帯域内ＣＡのための複数のＴＡＧをサポートするか否かのＵＥからのシグナリングが定義され得る。複数のＴＡＧの異なるキャリア間の伝送が異なるタイミングによりオーバーラップする場合、電力スケーリングがあり、複数のサブフレーム境界におけるキャリア間でのオーバーラップ度に差があり得る。ＵＥが電力許容量に達し、各キャリアで電力変化がある場合、ＵＥは３０μｓ（マイクロ秒）期間において最大４回各チャネルで電力を変化させる必要があり得る。装置の設計は、２つより多いＴＡＧがあるときにＴＡＧグルーピングの可能な全ての組み合わせが許可される場合、複雑さが増大し得る。ＵＥは、帯域内ＣＡのための２つ以上のＴＡＧをサポートし得る。ＵＥは、帯域間ＣＡのための２つ以上のＴＡＧをサポートし得る。ＵＥは、ＴＡＧにおける周波数帯域の組み合わせの任意の数をサポートし得る。例えば、３つより多いＣＣがアグリゲートされた場合、これらＣＣをグルーピングすることにおいて柔軟性を持たせることが望ましことがある。例えば、ＵＥは、ＣＣ１、ＣＣ２、およびＣＣ３のＣＡをサポートし得る。ＣＣ１およびＣＣ２のみがアグリゲートされた場合、Ｃ１およびＣＣ２は同じＴＡＧまたは複数の異なるＴＡＧに属し得る。ＣＣ１およびＣＣ３のみがアグリゲートされた場合、これらは、例えば、ＵＥまたはネットワーク選好からの複数のルールに基づいて、同じＴＡＧにのみ属し得る。ＣＣ１、ＣＣ２、およびＣＣ３がアグリゲートされた場合、ＣＣ１およびＣＣ２は同じＴＡＧには属し得ないが、ＣＣ２およびＣＣ３は、例えば、ＵＥまたはネットワーク選好から複数のルールに基づいて、同じＴＡＧに属し得る。
【００５２】
[0063]  図６Ａ−Ｆは、様々な実施形態に従って複数のＴＡＧへの複数のアグリゲートされたコンポーネントキャリアの割り当てを示す。図６Ａは、ＵＥのためのＴＡＧグルーピングをサポートするための複数のルール６１０を示す。ＵＥは、複数のＴＡＧへの複数のＣＣのグルーピングを司る（govern）複数のルールのセット６１０を決定し、このルールをネットワークに送信し得る。例えば、これらルール６１０は、複数の帯域内アグリゲートされたコンポーネントキャリアをグルーピングするためにサポートされたＴＡＧの数を含み得る。例えば、ＵＥは、複数の帯域内アグリゲートされたコンポーネントキャリアのための１〜４までの任意の数のＴＡＧグルーピングをサポートし得る。ＴＡＧの組み合わせ可能数は、帯域内コンポーネントキャリアの数に依存し得る。同じＴＡＧにおいて、全ての帯域内コンポーネントキャリアを１つにグルーピングすることが望ましいことがある。非コロケートキャリアアグリゲーションのような場合には、複数の非コロケートコンポーネントキャリアを複数の別個のＴＡＧにグルーピングすることが望ましいことがある。
【００５３】
[0064]  例えば、複数のルール６１０は、複数の帯域間アグリゲートされたコンポーネントキャリアをグルーピングするためにサポートされたＴＡＧの数を含み得る。例えば、ＵＥは、複数の帯域間アグリゲートされたコンポーネントキャリアのための１〜４までのＴＡＧグルーピングの任意の数をサポートし得る。ＴＡＧの組み合わせ可能数は、帯域間コンポーネントキャリアの数に依存し得る。
【００５４】
[0065]  複数のルール６１０は、複数のＴＡＧの許容可能な組み合わせを含み得、複数のルールは複数の周波数帯域の許容可能な組み合わせを含み得る。許容可能な組み合わせのための複数のルール６１０は、複数の周波数帯域についての排除、含有、等を定義し得る。
【００５５】
[0066]  ＵＥが（例えば、基地局への）ネットワークにこれらルールを送信した後に、（例えば、基地局における）このネットワークは、これらルールおよび／またはネットワーク選好に基づいて、複数のＣＣを複数のＴＡＧに割り当て得る。このネットワークは、複数のＣＣを既存のＴＡＧまたは新たに生成されたＴＡＧに割り当て得る。
【００５６】
[0067]  図６Ｂは、４個のコンポーネントキャリアの構成例を示す。ＬＴＥキャリア１、２、３、および４は、帯域内コンポーネントキャリアである。ＬＴＥキャリア１および２は、例えば、第１の基地局の、第１のセルにおいてコロケートされる。ＬＴＥキャリア３および４は、例えば、第２の基地局の、第２のセルにおいてコロケートされる。ＬＴＥキャリア１および２は、ＬＴＥキャリア３および４とともにコロケートされない。ある特定のＵＥは、非コロケートコンポーネントキャリアのための、例えば、複数の異なるＦＦＴのような、複数の異なる処理をサポートし得る。
【００５７】
[0068]  図６Ｃは、ＵＥのための複数のルールのセット例６１０Ａを示す。ＵＥは、単一の帯域内ＴＡＧをサポートするように構成され得る。ＵＥは、他の複数のルール（例えば、複数のルール６１０）とともに、このルール６１０Ａを基地局に通信し得る。ＵＥによってシグナリングされたこれらルール６１０Ａおよび図６Ｂのコンポーネントキャリア構成に基づいて、基地局は、複数のＴＡＧへの複数のコンポーネントキャリアの割り当てを決定し得る。図６Ｃの例において、ＵＥは、１つの帯域内ＴＡＧのみをサポートするので、基地局は、全てのコンポーネントキャリアを単一のＴＡＧ ６３０Ａにグルーピングし得る。基地局は、ＵＥにＴＡＧ ６３０Ａの割り当てをシグナリングし得る。
【００５８】
[0069]  図６Ｄは、ＵＥのための別の複数のルールのセット例６１０Ｂを示す。ＵＥは、２つの帯域内ＴＡＧをサポートするように構成され得る。ＵＥは、他の複数のルール（例えば、複数のルール６１０）とともに、このルール６１０Ａを基地局に通信し得る。ＵＥによってシグナリングされたこれらルール６１０Ｂおよび図６Ｂのコンポーネントキャリア構成に基づいて、基地局は、複数のＴＡＧへの複数のコンポーネントキャリアの割り当てを決定し得る。基地局はさらに、これらコンポーネントキャリアが非コロケートされていると決定し得る。図６Ｄの例において、基地局は、複数の非コロケート帯域内コンポーネントキャリアを複数の異なるＴＡＧ ６３０Ｂ、６３０Ｃに割り当て得る。基地局は、第１のセルのＬＴＥキャリア１および２を１つのＴＡＧ ６３０Ｂに割り当て、第２のセルのＬＴＥキャリア３および４を別のＴＡＧ ６３０Ｃに割り当て得る。基地局は、ＵＥにＴＡＧ ６３０Ｂ、６３０Ｃの割り当てをシグナリングし得る。
【００５９】
[0070]  図６Ｅは、４個のコンポーネントキャリアの別の構成例を示す。ＬＴＥキャリア１および２は、帯域内コンポーネントキャリアである。ＬＴＥキャリア１および２の組み合わせは、ＬＴＥキャリア３および４に対して帯域間である。
【００６０】
[0071]  図６Ｆは、ＵＥのための別の複数のルールのセット例６１０Ｃを示す。ＵＥは、単一の帯域内ＴＡＧおよび単一の帯域間ＴＡＧをサポートするように構成され得る。ＵＥは、他の複数のルール（例えば、複数のルール６１０）とともに、これらルール６１０Ｃを基地局に通信し得る。ＵＥによってシグナリングされたこれらルール６１０Ｄおよび図６Ｅのコンポーネントキャリア構成に基づいて、基地局は、複数のＴＡＧへの複数のコンポーネントキャリアの割り当てを決定し得る。図６Ｆの例において、ＵＥは、１つの帯域内ＴＡＧのみをサポートするので、基地局は、全ての帯域内コンポーネントキャリアのＬＴＥキャリア１および２を単一のＴＡＧ ６３０Ｄにグルーピングし得る。基地局は、全ての帯域間コンポーネントキャリアのＬＴＥキャリア３および４を単一のＴＡＧ ６３０Ｅにグルーピングし得る。基地局は、ＵＥにＴＡＧ ６３０Ｄ、６３０Ｅの割り当てをシグナリングし得る。
【００６１】
[0072]  図７は、ＴＡＧ能力をシグナリングするＵＥを含むシステムのコール図(call diagram)の例を示す。例えば、ＵＥ７０２は、図１または３のいずれかのＵＥであり得る。ｅＮＢ７０４は、図１または３のいずれかの基地局であり得る。ＵＥ７０２は、ステップ７１０においてｅＮＢ７０４との通信を確立し得る。ＵＥ７０２は、ステップ７１２においてｅＮＢ７０４にＴＡＧ能力をシグナリングし得る。通信を確立するステップ７１０に続いてステップは示されるが、ＵＥ７０２のＴＡＧ能力をシグナリングすることが含まれ得る、または通信を確立するステップ７１０の一部であり得る。ＵＥ７０２は、既存のプロトコルに基づいて、または新たなシグナリング手順に基づいて能力をシグナリングし得る。一態様において、ＵＥ７０２のＴＡＧ能力をシグナリングすることは、ＵＥが複数のＴＡＧをサポートするか否かのインジケーションを送信することを含み得る。ＵＥ７０２は、複数のルール６１０のいずれかまたは全てをシグナリングし得る。ＵＥ７０２が複数のＴＡＧをサポートしない場合、ＵＥ７０２は、シグナリング７１２おける複数のＴＡＧのためのサポートの欠如を示し得る。別の態様において、ｅＮＢ７０４は、ＵＥ７０２が複数のＴＡＧに関して送信されたメッセージまたはインジケーションがないことに基づいて複数のＴＡＧをサポートしないと仮定し得る。ＵＥ７０２の能力に基づいて、ｅＮＢ７０４は、ステップ７１４においてＵＥ７０２のための複数のＴＡＧ割り当てを決定し得る。ｅＮＢ７０４は、ＵＥ７０２にこれらＴＡＧ割り当てをシグナリングし得る。これに加えて、あるいはその代わりに、ｅＮＢ７０４は、これらＴＡＧ割り当てとともに、またはそれとは分離して、ＵＥ７０２に複数のＴＡＧ値をシグナリングし得る。
【００６２】
[0073]  一例において、ＵＥ７０２およびｅＮＢ７０４は、ステップ７１０において通信を確立する。ＵＥ７０２は、複数のＴＡＧをサポートすることができ得る。ステップ７１２において、ＵＥ７０２は、複数のＴＡＧをサポートするその能力をｅＮＢ７０４にシグナリングする。この例において、３つの帯域内コンポーネントキャリア、１つのＰＣＣおよび２つのＳＣＣが、ＵＥ７０２とｅＮＢ７０４との間で確立される。ｅＮＢ７０４は、ＵＥ７０２によってシグナリングされたＴＡＧ能力に基づいてコンポーネントキャリアのためのＴＡＧ割り当てを決定し得る。ｅＮＢ７０４は、全ての帯域内コンポーネントキャリアを同じＴＡＧにグルーピングすることを決定し得る。この例において、ｅＮＢ７０４は、３つの帯域内コンポーネントキャリアを全て１つのＴＡＧに割り当てる。ｅＮＢ７０４は、ステップ７１６においてＵＥにこの割り当てをシグナリングする。
【００６３】
[0074]  本明細書で説明された実施形態の１つ以上の態様に従って、図８に関しては、ネットワークエンティティ（例えば、基地局、ノードＢ、アクセスポイント、または同様のもの）によって実施可能な方法８００が示されている。具体的に、方法８００は、複数のアグリゲートされたコンポーネントキャリアを複数のタイミングアドバンスグループ（ＴＡＧ）に割り当てることを説明する。方法８００は、８１０において、複数のタイミングアドバンスグループ（ＴＡＧ）に関連付けられた複数のルールのセットをユーザ機器（ＵＥ）から受信することを含み得る。方法８００は、８２０において、複数のアグリゲートされたコンポーネントキャリアの周波数を決定することを含み得る。さらに、方法は、８３０において、複数のルールの受信されたセットおよび複数のアグリゲートされたコンポーネントキャリアの決定された周波数に基づいて、これら複数のアグリゲートされたコンポーネントキャリアを少なくとも１つのタイミングアドバンスグループに割り当てることを含み得る。これらタイミングアドバンスグループは、複数のグループのアグリゲートされたコンポーネントキャリアであり得る。
【００６４】
[0075]  本明細書で説明された実施形態の１つ以上の態様に従って、図９に関しては、ワイヤレスエンティティ（例えば、ユーザ機器、ワイヤレスデバイス、ワイヤレス端末、モバイルデバイス、または同様のもの）によって実施可能な方法９００が示されている。具体的に、方法９００は、複数のアグリゲートされたコンポーネントキャリアをグルーピングするための複数のルールを複数のタイミングアドバンスグループ（ＴＡＧ）にシグナリングすることを説明する。方法９００は、９１０において、複数のタイミングアドバンスグループに関連付けられた複数のルールのセットを決定することを含み得る。方法９００は、９２０において、複数のタイミングアドバンスグループに関連付けられた複数のルールのセットを基地局に送信することを含み得る。方法９００は、９３０において、複数のアグリゲートされたコンポーネントキャリアの少なくとも１つのタイミングアドバンスグループ（ＴＡＧ）への複数のアグリゲートされたコンポーネントキャリアの割り当てのインジケーションを受信することを含み得る。例えば、少なくとも１つのタイミングアドバンスグループへの割り当ては、複数のルールのセットに対応し得る。
【００６５】
[0076]  図１０は、図８の方法に従って、複数のアグリゲートされたコンポーネントキャリアを複数のタイミングアドバンスグループ（ＴＡＧ）に割り当てるための装置の実施形態を示す。図１０に関しては、ワイヤレスネットワークにおけるネットワークエンティティ（例えば、基地局、ノードＢ、アクセスポイント、または同様のもの）として、または、ネットワークエンティティ内で使用するためのプロセッサまたは同様のデバイス／コンポーネントとして、構成され得る例示的な装置１０００が提供されている。例えば、装置１０００は、図３の基地局１１０であり得る。装置１０００は、プロセッサ、ソフトウェア、またはこれらの組み合わせ（例えば、ファームウェア）によって実現される機能を表し得る複数の機能ブロックを含み得る。例えば、装置１０００は、複数のタイミングアドバンスグループ（ＴＡＧ）に関連付けられた複数のルールのセットをユーザ機器（ＵＥ）から受信するための電子コンポーネントまたはモジュール１０１２を含み得る。装置１０００はまた、複数のアグリゲートされたコンポーネントキャリアの周波数を決定するためのコンポーネント１０１４を含み得る。装置１０００はまた、複数のルールの受信されたセットおよび複数のアグリゲートされたコンポーネントキャリアの決定された周波数に基づいて、複数のアグリゲートされたコンポーネントキャリアを少なくとも１つのタイミングアドバンスグループに割り当てるためのコンポーネント１０１６を含み得る。これらタイミングアドバンスグループは、複数グループのアグリゲートされたコンポーネントキャリアであり得る。
【００６６】
[0077]  関連態様において、装置１０００は、装置１０００がプロセッサとしてではなく、ワイヤレスエンティティ（例えば、ユーザ機器、ワイヤレスデバイス、ワイヤレス端末、モバイルデバイス、または同様のもの）として構成された場合、少なくとも１つのプロセッサを有するプロセッサコンポーネント１０５０をオプションとして含み得る。プロセッサ１０５０は、この場合、バス１０５２または同様の通信結合を介してコンポーネント１０１２〜１０１６と動作可能に通信し得る。プロセッサ１０５０は、電子コンポーネント１０１２〜１０１６によって行われる処理または機能の開始およびスケジューリングをもたらし得る。
【００６７】
[0078]  さらなる関連態様において、装置１０００は、無線トランシーバコンポーネント１０５４を含み得る。独立型受信機および／または独立型送信機が、トランシーバ１０５４の代わりに、または、それとともに使用され得る。装置１０００がワイヤレスエンティティである場合、装置１０００はまた、１つ以上のコアネットワークエンティティに接続するための（図示されていない）ネットワークインターフェースを含み得る。装置１０００は、例えば、メモリデバイス／コンポーネント１０５６のような、情報を格納するためのコンポーネントをオプションとして含み得る。コンピュータ可読媒体またはメモリコンポーネント１０５６は、バス１０５２または同様のものを介して、装置１０００の他のコンポーネントに動作可能に結合され得る。メモリコンポーネント１０５６は、複数のコンポーネント１０１２〜１０１６、およびこれらの複数のサブコンポーネント、あるいは、プロセッサ１０５０、または本明細書で開示された方法の処理および動きを行うためのコンピュータ可読命令およびデータを格納するように適合され得る。メモリコンポーネント１０５６は、コンポーネント１０１２〜１０１６に関連付けられた機能を実行するための複数の命令を保持し得る。メモリ１０５６の外部にあるように示されているが、これらコンポーネント１０１２〜１０１６はメモリ１０５６内に存在できると理解されるべきである。図１０におけるこれらコンポーネントが、プロセッサ、電子デバイス、ハードウェアデバイス、電子サブコンポーネント、論理回路、メモリ、ソフトウェアコード、ファームウェアコード、等、またはこれらの任意の組み合わせを備え得ることにさらに留意されたい。
【００６８】
[0079]  図１１は、図９の方法に従って、複数のアグリゲートされたコンポーネントキャリアをグルーピングするための複数のルールを複数のタイミングアドバンスグループ（ＴＡＧ）にシグナリングするための装置の実施形態を示す。図１１に関しては、ワイヤレスネットワークにおけるネットワークエンティティ（例えば、ユーザ機器、ワイヤレスデバイス、ワイヤレス端末、モバイルデバイス、または同様のもの）として、または、ネットワークエンティティ内で使用するためのプロセッサまたは同様のデバイス／コンポーネントとして、構成され得る例示的な装置１１００が提供されている。例えば、装置１１００は、図３のＵＥ１２０であり得る。装置１１００は、プロセッサ、ソフトウェア、またはこれらの組み合わせ（例えば、ファームウェア）によって実現される機能を表し得る機能ブロックを含み得る。例えば、装置１１００は、複数のタイミングアドバンスグループに関連付けられた複数のルールのセットを決定するための電子コンポーネントまたはモジュール１１１２を含み得る。装置１１００はまた、これらタイミングアドバンスグループに関連付けられたこれらルールのセットを基地局に送信するためのコンポーネント１１１４を含み得る。装置１１００はまた、複数のアグリゲートされたコンポーネントキャリアの少なくとも１つのタイミングアドバンスグループ（ＴＡＧ）への複数のアグリゲートされたコンポーネントキャリアの割り当てのインジケーションを受信するためのコンポーネント１１１６を含み得る。例えば、少なくとも１つのタイミングアドバンスグループへの割り当ては、複数のルールのセットに対応し得る。
【００６９】
[0080]  関連態様において、装置１１００は、装置１１００がプロセッサとしてではなく、ワイヤレスエンティティ（例えば、ユーザ機器、ワイヤレスデバイス、ワイヤレス端末、モバイルデバイス、または同様のもの）として構成された場合、少なくとも１つのプロセッサを有するプロセッサコンポーネント１１５０をオプションとして含み得る。プロセッサ１１５０は、この場合、バス１１５２または同様の通信結合を介してコンポーネント１１１２〜１１１６と動作可能に通信し得る。プロセッサ１１５０は、複数の電子コンポーネント１１１２〜１１１６によって行われる処理または機能の開始およびスケジューリングをもたらし得る。
【００７０】
[0081]  さらなる関連態様において、装置１１００は、無線トランシーバコンポーネント１１５４を含み得る。独立型受信機および／または独立型送信機が、トランシーバ１１５４の代わりに、または、それと一緒に使用され得る。装置１１００がワイヤレスエンティティである場合、装置１１００はまた、１つ以上のコアネットワークエンティティに接続するための（図示されていない）ネットワークインターフェースを含み得る。装置１１００は、例えば、メモリデバイス／コンポーネント１１５６のような、情報を格納するためのコンポーネントをオプションとして含み得る。コンピュータ可読媒体またはメモリコンポーネント１１５６は、バス１１５２または同様のものを介して、装置１１００の他のコンポーネントに動作可能に結合され得る。メモリコンポーネント１１５６は、複数のコンポーネント１１１２〜１１１６、およびこれらの複数のサブコンポーネント、あるいは、プロセッサ１１５０、または本明細書で開示された方法の処理および動作をもたらすための複数のコンピュータ可読命令およびデータを格納するように適合され得る。メモリコンポーネント１１５６は、複数のコンポーネント１１１２〜１１１６に関連付けられた複数の機能を実行するための複数の命令を保持しうる。メモリ１１５６の外部にあるように示されているが、これらコンポーネント１１１２〜１１１６がメモリ１１５６内に存在できると理解されるべきである。図１１のコンポーネントが、プロセッサ、電子デバイス、ハードウェアデバイス、電子サブコンポーネント、論理回路、メモリ、ソフトウェアコード、ファームウェアコード、等、またはそれらの任意の組み合わせを備え得ることにさらに留意されたい。
【００７１】
[0082]  当業者であれば、情報および信号が、様々な異なる技術および技術のうちのいずれかを用いて表され得ることを理解するであろう。例えば、上記説明の全体にわたって参照されうるデータ、命令、コマンド、情報、信号、ビット、シンボル、およびチップは、電圧、電流、電磁波、磁場または磁性粒子、光場または光粒子、あるいはこれらの任意の組み合わせによって表され得る。
【００７２】
[0083]  当業者はさらに、本明細書の開示に関連して説明された様々な例示的な論理ブロック、モジュール、回路、およびアルゴリズムステップが、電子ハードウェア、コンピュータソフトウェア、または両方の組み合わせとして実現され得ることを理解するであろう。ハードウェアとソフトウェアとのこの互換性を明確に示すために、様々な例示的なコンポーネント、ブロック、モジュール、回路、およびステップが、それらの機能の観点から一般的に上述されている。そのような機能がハードウェアとして実現されるかソフトウェアとして実現されるかは、システム全体に課された特定のアプリケーションおよび設計の制約に依存する。当業者は、説明された機能を、特定のアプリケーション毎に異なる方法で実現し得るが、そのような実現の決定は、本開示の範囲からの逸脱を生じるものとして解釈されるべきではない。
【００７３】
[0084]  本明細書の開示に関連して説明された様々な例示的な論理ブロック、モジュール、および回路は、本明細書で説明された機能を行うように設計された汎用プロセッサ、デジタルシグナルプロセッサ（ＤＳＰ）、特定用途向け集積回路（ＡＳＩＣ）、フィールドプログラマブルゲートアレイ（ＦＰＧＡ）、または他のプログラマブル論理デバイス、離散ゲートまたはトランジスタ論理、離散ハードウェアコンポーネント、またはそれらの任意の組み合わせで、実現または行われ得る。汎用プロセッサは、マイクロプロセッサであり得るが、代替において、このプロセッサは、任意の従来のプロセッサ、コントローラ、マイクロコントローラ、またはステートマシン（state machine）であり得る。プロセッサはまた、例えば、ＤＳＰとマイクロプロセッサの組み合わせ、複数のマイクロプロセッサ、ＤＳＰコアと連結した１つ以上のマイクロプロセッサ、または任意の他のそのような構成である、コンピューティングデバイスの組み合わせとして実現され得る。
【００７４】
[0085]  本明細書の開示に関連して説明された方法またはアルゴリズムのステップは、ハードウェアで直接的に、プロセッサによって実行されるソフトウェアモジュールで、またはその２つの組み合わせで、具現化され得る。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または当該技術で周知の任意の他の形態の記憶媒体内に存在し得る。例示的な記憶媒体は、プロセッサが記憶媒体から情報を読み取り、記憶媒体に情報を書き込むことができるように、プロセッサに結合される。あるいは、記憶媒体は、プロセッサに組み込まれ得る。プロセッサおよび記憶媒体は、ＡＳＩＣ内に存在し得る。ＡＳＩＣは、ユーザ端末内に存在し得る。あるいは、プロセッサおよび記憶媒体は、ユーザ端末内の離散コンポーネントとして存在し得る。
【００７５】
[0086]  １つ以上の例示的な設計において、説明された機能は、ハードウェア、ソフトウェア、ファームウェア、またはそれらの任意の組み合わせで実現され得る。ソフトウェアで実現された場合、その機能は、コンピュータ可読媒体上の１つ以上の命令またはコードとして記憶または送信され得る。コンピュータ可読媒体は、１つの場所から別の場所へのコンピュータプログラムの転送を容易にする任意の媒体を含むコンピュータ記憶媒体と通信媒体の両方を含む。記憶媒体は、汎用または専用コンピュータによってアクセスされることができる任意の入手可能な媒体であり得る。限定ではなく例として、そのようなコンピュータ可読媒体は、ＲＡＭ、ＲＯＭ、ＥＥＰＲＯＭ、ＣＤ−ＲＯＭ、または他の光ディスク記憶装置、磁気ディスク記憶装置、または他の磁気記憶デバイス、または、命令またはデータ構造の形態で所望のプログラムコード手段を搬送または格納するために使用されることができ、かつ、汎用または専用コンピュータ、または汎用または専用プロセッサによってアクセスされることができる任意の他の媒体を備え得る。また、任意の接続は、厳密にはコンピュータ可読媒体と呼ばれる。例えば、ソフトウェアが、同軸ケーブル、光ファイバーケーブル、ツイストペア、デジタル加入者回線（ＤＳＬ）、または赤外線、電波、およびマイクロ波のようなワイヤレス技術を使用して、ウェブサイト、サーバ、または他の遠隔ソースから送信される場合、この同軸ケーブル、光ファイバーケーブル、ツイストペア、ＤＳＬ、または赤外線、電波、およびマイクロ波のようなワイヤレス技術は、媒体の定義に含まれる。ディスク（disk）およびディスク（disc）は、本明細書で使用される場合、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）、およびブルーレイ（登録商標）ディスク（disc）を含み、ディスク（disk）は通常、磁気的にデータを再生するが、ディスク（disc）は、レーザーを用いて光学的にデータを再生する。上記の組み合わせもまた、コンピュータ可読媒体の範囲内に含まれるべきである。
【００７６】
[0087]  本開示の先の説明は、本開示を製造または使用することをいずれの当業者にも可能にさせるために提供される。本開示に対するさまざまな変更は、当業者に容易に理解され、本明細書で定義された一般的な原理は、本開示の精神または範囲から逸脱せずに、他の変形に適用されることができる。従って、本開示は、本明細書で説明された例および設計に限定されるように意図されたものではなく、本明細書で開示された原理および新規な特徴と一致する最も広い範囲が付与されるべきである。
以下に本願の出願当初の特許請求の範囲に記載された発明を付記する。
[Ｃ１]  方法であって、
複数の周波数帯域の許容可能な組み合わせを備える複数のタイミングアドバンスグループ（ＴＡＧ）に関連付けられた複数のルールのセットをユーザ機器（ＵＥ）から受信することと、
複数のアグリゲートされたコンポーネントキャリアの周波数を決定することと、
前記複数の周波数帯域の許容可能な組み合わせおよび前記複数のアグリゲートされたコンポーネントキャリアの前記決定された周波数に基づいて、前記複数のアグリゲートされたコンポーネントキャリアを少なくとも１つのタイミングアドバンスグループに割り当てることと
を備える、方法。
[Ｃ２]  前記複数のルールのセットは、帯域内キャリアアグリゲーションのためのある数量のサポートされたＴＡＧ、帯域間キャリアアグリゲーションのためのある数量のサポートされたＴＡＧ、複数のＴＡＧの許容可能な組み合わせのうちの少なくとも１つをさらに備える、Ｃ１に記載の方法。
[Ｃ３]  前記割り当てることは、（ｉ）所定の周波数帯域における周波数を有する複数のアグリゲートされたコンポーネントキャリアを帯域内キャリアアグリゲーションのための少なくとも１つのＴＡＧに割り当てることと、（ｉｉ）異なる所定の周波数帯域における周波数を有する複数のアグリゲートされたコンポーネントキャリアを帯域間キャリアアグリゲーションのための少なくとも１つのＴＡＧに割り当てることと、（ｉｉｉ）複数の周波数帯域の許容可能な組み合わせを有する複数のアグリゲートされたコンポーネントキャリアを同じＴＡＧに割り当てることと、または（ｉｖ）複数の周波数帯域の許容不可能な組み合わせを有する複数のアグリゲートされたコンポーネントキャリアを同じＴＡＧに割り当てることを抑制することとのうちの少なくとも１つを備える、Ｃ２に記載の方法。
[Ｃ４]  前記少なくとも１つのＴＡＧは、最少で１つのＴＡＧ、多くて４つのＴＡＧを備える、Ｃ１に記載の方法。
[Ｃ５]  ワイヤレスエンティティに前記割り当てられた少なくとも１つのＴＡＧを送信することをさらに備える、Ｃ１に記載の方法。
[Ｃ６]  前記割り当てることは、既存のＴＡＧまたは新規のＴＡＧのうちの１つに割り当てることを備える、Ｃ１に記載の方法。
[Ｃ７]  ワイヤレスネットワークエンティティであって、
複数の周波数帯域の許容可能な組み合わせを備える複数のタイミングアドバンスグループ（ＴＡＧ）に関連付けられた複数のルールのセットをユーザ機器（ＵＥ）から受信するための手段と、
複数のアグリゲートされたコンポーネントキャリアの周波数を決定するための手段と、
前記複数の周波数帯域の許容可能な組み合わせおよび前記複数のアグリゲートされたコンポーネントキャリアの前記決定された周波数に基づいて、前記複数のアグリゲートされたコンポーネントキャリアを少なくとも１つのタイミングアドバンスグループに割り当てるための手段と
を備える、ワイヤレスネットワークエンティティ。
[Ｃ８]  前記複数のルールのセットは、帯域内キャリアアグリゲーションのためのある数量のサポートされたＴＡＧ、帯域間キャリアアグリゲーションのためのある数量のサポートされたＴＡＧ、複数のＴＡＧの許容可能な組み合わせ、または複数の周波数帯域の許容可能な組み合わせのうちの少なくとも１つを備える、Ｃ７に記載のワイヤレスネットワークエンティティ。
[Ｃ９]  前記割り当てるための手段は、（ｉ）所定の周波数帯域における周波数を有する複数のアグリゲートされたコンポーネントキャリアを帯域内キャリアアグリゲーションのための少なくとも１つのＴＡＧに割り当てることと、（ｉｉ）異なる所定の周波数帯域における周波数を有する複数のアグリゲートされたコンポーネントキャリアを帯域間キャリアアグリゲーションのための少なくとも１つのＴＡＧに割り当てることと、（ｉｉｉ）複数の周波数帯域の許容可能な組み合わせを有する複数のアグリゲートされたコンポーネントキャリアを同じＴＡＧに割り当てることと、または（ｉｖ）複数の周波数帯域の許容不可能な組み合わせを有する複数のアグリゲートされたコンポーネントキャリアを同じＴＡＧに割り当てることを抑制することとのうちの少なくとも１つのためにさらに構成される、Ｃ８に記載のワイヤレスネットワークエンティティ。
[Ｃ１０]  ワイヤレスネットワークエンティティであって、
複数の周波数帯域の許容可能な組み合わせを備える複数のタイミングアドバンスグループ（ＴＡＧ）に関連付けられた複数のルールのセットをユーザ機器（ＵＥ）から受信し、
複数のアグリゲートされたコンポーネントキャリアの周波数を決定し、
前記複数の周波数帯域の許容可能な組み合わせおよび前記複数のアグリゲートされたコンポーネントキャリアの前記決定された周波数に基づいて、前記複数のアグリゲートされたコンポーネントキャリアを複数のアグリゲートされたコンポーネントキャリアの少なくとも１つのタイミングアドバンスグループに割り当てるように構成された少なくとも１つのプロセッサと、
データを格納するために前記少なくとも１つのプロセッサに結合されるメモリとを備えるワイヤレスネットワークエンティティ。
[Ｃ１１]  前記複数のルールのセットは、帯域内キャリアアグリゲーションのためのある数量のサポートされたＴＡＧ、帯域間キャリアアグリゲーションのためのある数量のサポートされたＴＡＧ、複数のＴＡＧの許容可能な組み合わせ、または複数の周波数帯域の許容可能な組み合わせのうちの少なくとも１つを備える、Ｃ１０に記載のワイヤレスネットワークエンティティ。
[Ｃ１２]  前記複数のアグリゲートされたコンポーネントキャリアを割り当てることは、（ｉ）所定の周波数帯域における周波数を有する複数のアグリゲートされたコンポーネントキャリアを帯域内キャリアアグリゲーションのための少なくとも１つのＴＡＧに割り当てることと、（ｉｉ）異なる所定の周波数帯域における周波数を有する複数のアグリゲートされたコンポーネントキャリアを帯域間キャリアアグリゲーションのための少なくとも１つのＴＡＧに割り当てることと、（ｉｉｉ）複数の周波数帯域の許容可能な組み合わせを有する複数のアグリゲートされたコンポーネントキャリアを同じＴＡＧに割り当てることと、または（ｉｖ）複数の周波数帯域の許容不可能な組み合わせを有する複数のアグリゲートされたコンポーネントキャリアを同じＴＡＧに割り当てることを抑制することとのうちの少なくとも１つをさらに備える、Ｃ１１に記載のワイヤレスネットワークエンティティ。
[Ｃ１３]  コンピュータプログラム製品であって、
少なくとも１つのコンピュータに、
複数の周波数帯域の許容可能な組み合わせを備える複数のタイミングアドバンスグループ（ＴＡＧ）に関連付けられた複数のルールのセットをユーザ機器（ＵＥ）から受信させ、
複数のアグリゲートされたコンポーネントキャリアの周波数を決定させ、
前記受信されたセットのルールおよび前記複数のアグリゲートされたコンポーネントキャリアの前記決定された周波数に基づいて、前記複数のアグリゲートされたコンポーネントキャリアを複数のアグリゲートされたコンポーネントキャリアの少なくとも１つのタイミングアドバンスグループに割り当てさせるためのコードを備えるコンピュータ可読媒体
を備える、コンピュータプログラム製品。
[Ｃ１４]  前記複数のルールのセットは、帯域内キャリアアグリゲーションのためのある数量のサポートされたＴＡＧ、帯域間キャリアアグリゲーションのためのある数量のサポートされたＴＡＧ、複数のＴＡＧの許容可能な組み合わせ、または複数の周波数帯域の許容可能な組み合わせのうちの少なくとも１つを備える、Ｃ１３に記載のコンピュータプログラム製品。
[Ｃ１５]  前記少なくとも１つのコンピュータに、前記アグリゲートされたコンポーネントキャリアを割り当てさせるための前記コードは、（ｉ）所定の周波数帯域における周波数を有する複数のアグリゲートされたコンポーネントキャリアを帯域内キャリアアグリゲーションのための少なくとも１つのＴＡＧに割り当てることと、（ｉｉ）異なる所定の周波数帯域における周波数を有する複数のアグリゲートされたコンポーネントキャリアを帯域間キャリアアグリゲーションのための少なくとも１つのＴＡＧに割り当てることと、（ｉｉｉ）複数の周波数帯域の許容可能な組み合わせを有する複数のアグリゲートされたコンポーネントキャリアを同じＴＡＧに割り当てることと、または（ｉｖ）複数の周波数帯域の許容不可能な組み合わせを有する複数のアグリゲートされたコンポーネントキャリアを同じＴＡＧに割り当てることを抑制することとのうちの少なくとも１つを行なうようにさらに構成される、Ｃ１４に記載のコンピュータプログラム製品。
[Ｃ１６]  方法であって、
複数のタイミングアドバンスグループに関連付けられた複数のルールのセットを決定することと、
前記複数のタイミングアドバンスグループに関連付けられた複数のルールのセットを基地局に送信することと、
少なくとも１つのタイミングアドバンスグループ（ＴＡＧ）への複数のアグリゲートされたコンポーネントキャリアの割り当てのインジケーションを受信することとを備え、前記少なくとも１つのタイミングアドバンスグループへの前記割り当ては、前記複数のルールのセットに対応する、方法。
[Ｃ１７]  前記複数のルールのセットは、帯域内キャリアアグリゲーションのためのある数量のサポートされたＴＡＧ、帯域間キャリアアグリゲーションのためのある数量のサポートされたＴＡＧ、複数のＴＡＧの許容可能な組み合わせ、または複数の周波数帯域の許容可能な組み合わせのうちの少なくとも１つを備える、Ｃ１６に記載の方法。
[Ｃ１８]  ユーザ機器であって、
複数のタイミングアドバンスグループに関連付けられた複数のルールのセットを決定するための手段と、
前記複数のタイミングアドバンスグループに関連付けられた複数のルールのセットを基地局に送信するための手段と、
少なくとも１つのタイミングアドバンスグループ（ＴＡＧ）への複数のアグリゲートされたコンポーネントキャリアの割り当てのインジケーションを受信するための手段とを備え、前記少なくとも１つのタイミングアドバンスグループへの前記割り当ては、前記複数のルールのセットに対応する、ユーザ機器。
[Ｃ１９]  前記複数のルールのセットは、帯域内キャリアアグリゲーションのためのある数量のサポートされたＴＡＧ、帯域間キャリアアグリゲーションのためのある数量のサポートされたＴＡＧ、複数のＴＡＧの許容可能な組み合わせ、または複数の周波数帯域の許容可能な組み合わせのうちの少なくとも１つを備える、Ｃ１８に記載のユーザ機器。
[Ｃ２０]  ユーザ機器であって、
複数のタイミングアドバンスグループに関連付けられた複数のルールのセットを決定し、
前記複数のタイミングアドバンスグループに関連付けられた複数のルールのセットを基地局に送信し、
少なくとも１つのタイミングアドバンスグループ（ＴＡＧ）への複数のアグリゲートされたコンポーネントキャリアの割り当てのインジケーションを受信するように構成された少なくとも１つのプロセッサと、ここにおいて、前記少なくとも１つのタイミングアドバンスグループへの前記割り当ては、前記複数のルールのセットに対応する、
データを格納するために前記少なくとも１つのプロセッサに結合されるメモリとを備える、ユーザ機器。
[Ｃ２１]  前記ルールのセットは、帯域内キャリアアグリゲーションのためのある数量のサポートされたＴＡＧ、帯域間キャリアアグリゲーションのためのある数量のサポートされたＴＡＧ、ＴＡＧの許容可能な組み合わせ、または周波数帯域の許容可能な組み合わせのうちの少なくとも１つを備える、Ｃ２０に記載のユーザ機器。
[Ｃ２２]  コンピュータプログラム製品であって、
少なくとも１つのコンピュータに、
複数のタイミングアドバンスグループに関連付けられた複数のルールのセットを決定させ、
前記複数のタイミングアドバンスグループに関連付けられた複数のルールのセットを基地局に送信させ、
少なくとも１つのタイミングアドバンスグループ（ＴＡＧ）への複数のアグリゲートされたコンポーネントキャリアの割り当てのインジケーションを受信させるためのコードを備えるコンピュータ可読媒体を備え、前記少なくとも１つのタイミングアドバンスグループへの前記割り当ては、前記複数のルールのセットに対応する、コンピュータプログラム製品。
[Ｃ２３]  前記複数のルールのセットは、帯域内キャリアアグリゲーションのためのある数量のサポートされたＴＡＧ、帯域間キャリアアグリゲーションのためのある数量のサポートされたＴＡＧ、複数のＴＡＧの許容可能な組み合わせ、または複数の周波数帯域の許容可能な組み合わせのうちの少なくとも１つを備える、Ｃ２２に記載のコンピュータプログラム製品。
【図１】
0006449153.tif 000002
【図２】
0006449153.tif 000003
【図３】
0006449153.tif 000004
【図４Ａ】
0006449153.tif 000005
【図４Ｂ】
0006449153.tif 000006
【図５】
0006449153.tif 000007
【図６Ａ】
0006449153.tif 000008
【図６Ｂ】
0006449153.tif 000009
【図６Ｃ】
0006449153.tif 000010
【図６Ｄ】
0006449153.tif 000011
【図６Ｅ】
0006449153.tif 000012
【図６Ｆ】
0006449153.tif 000013
【図７】
0006449153.tif 000014
【図８】
0006449153.tif 000015
【図９】
0006449153.tif 000016
【図１０】
0006449153.tif 000017
【図１１】
0006449153.tif 000018